(57)【要約】【課題】ノイズが印可された時でも、有電圧警報機が接続されたと誤判定しないようにすること。【解決手段】誤接続安全部１２が、有電圧警報機の判定をした時に、警報機が本当に接続されているかを確認し、接続が確認された場合にはガス遮断弁駆動部ｅによりガスを遮断するようにしたものであり、警報機が接続されていない時に各種のノイズが印可されガス安全制御回路本体５内で誤動作が生じた時でも、有電圧警報機と誤判定しないようにすることができる。【選択図】　図１
2004101041.tif 000002
【特許請求の範囲】
【請求項１】
通常時は電気的開放状態で、ガス漏れ等の異常時は電気的ショート信号を発生する第一の警報機が接続される接続部と、ガス漏れ等の異常時に作動してガス漏れ等の異常を防ぐ安全部と、前記接続部に、通常時は規定の電圧でガス漏れ等の異常時は異なる規定電圧信号を発生させる第二の警報機が接続されたか否かを判定し、第二の警報機の接続検出時に、前記接続部に前記第一または第二のいずれか一方の警報機が接続されている場合はガスを流さないように作動する誤接続安全部を備えたガス安全制御装置。
【請求項２】
第二の警報機の接続検出時に、接続部に第一または第二のいずれか一方の警報機が接続されていない場合はその情報を応答する誤接続安全部を備えた請求項１記載のガス安全制御装置。
【請求項３】
第二の警報機の接続検出時に、接続部に第一または第二のいずれか一方の警報機が接続されていない場合、その事を記憶する誤接続安全部を備えた請求項１または２記載のガス安全制御装置。
【請求項４】
第二の警報機の接続検出時に、接続部に第一または第二のいずれか一方の警報機が接続されていない場合その事を記憶し、その回数があらかじめ設定した回数を超えた場合に応答する誤接続安全部を備えた請求項１、２または３記載のガス安全制御装置。
【請求項５】
第二の警報機の接続検出時に、接続部に第一または第二のいずれか一方の警報機が接続されていない場合、その事を記憶し、その後第一の警報機の接続を認識した際に前述の記憶を基にその情報を第一の警報機に対して発信する誤接続安全部を備えた請求項１記載のガス安全制御装置。
【発明の詳細な説明】
【０００１】
【発明の属する技術分野】
本発明は、ガス漏れ警報機等からの出力によりガスを遮断するガス安全制御装置に関し、特にガス漏れ安全回路、ＣＯ安全回路に関するものである。
【０００２】
【従来の技術】
従来この種のガス安全制御装置は、例えば特許文献１に記載されているようなものが一般的であった。この装置は図２に示されているように、ガス漏れ時に無電圧警報機１のフォトカプラーＨＣ１が電気的ショート（通常時はオープン）する事を、ガス安全制御装置２はトランジスタＱ１がオンすればトランジスタＱ２がオンする事で検出し、ガス通路中にある弁３を閉じてガスを遮断しガス漏れを防ぐようにしている。また、無電圧警報機１の接続はガス安全制御装置２のトランジスタＱ３をオンさせ、無電圧警報機１が接続中はフォトカプラＨＣ２を介して流れる電流によりＱ４がオンすることで認識されるように構成されている。ここで、トランジスタＱ１、Ｑ３は節電と他の機能との干渉を防ぐように（Ｑ１とＱ３は同時にオンすることは無い）断続的オンするようになっていた。
【０００３】
このガス安全制御装置２に前記の無電圧警報機１と換えて有電圧警報機（常時６Ｖを出力し、ガス漏れ時は１２Ｖを出力する）が接続されると、その時点からトランジスタＱ４が常時オンとなる。そして、トランジスタＱ１、Ｑ３がオフ中にトランジスタＱ４がオンしている事で有電圧警報機を判定（無電圧警報機１が接続されていればトランジスタＱ１、Ｑ３がオフ中にトランジスタＱ４がオンする事は無い）し、ガス通路中にある弁３を閉じてガスを遮断するようになっていた。
【０００４】
【特許文献１】
特開２００１−１８３２０７公報
【０００５】
【発明が解決しようとする課題】
しかしながら上記従来のガス安全制御装置では、有電圧警報機の接続を検出すればガスを遮断しているので、無線機や電波塔等から発生する各種のノイズが印可され装置内のトランジスタ等が誤動作し、誤って有電圧警報機の接続を検出した時にガスを遮断してしまう場合がありえるという課題を有していた。
【０００６】
【課題を解決するための手段】
本発明は上記課題を解決するために、誤接続安全部が有電圧警報機の接続検出時に、接続部に警報機が接続されているかを確認し、接続されていると判定した場合に安全部によりガスを遮断するようにしたものである。
【０００７】
上記発明によれば、誤接続安全部は有電圧警報機が接続されたと検出した時に本当に警報機が接続部に接続されているかの確認を行うので、警報機が接続されていない時に各種のノイズが印可され装置内のトランジスタ等が誤動作した時でも、有電圧警報機と誤判定してガスを遮断してしまうような事をなくすることができる。
【０００８】
【発明の実施の形態】
本発明は、通常時は電気的開放状態で、ガス漏れ等の異常時は電気的ショート信号を発生する第一の警報機が接続される接続部と、ガス漏れ等の異常時に作動してガス漏れ等の異常を防ぐ安全部と、前記接続部に、通常時は規定の電圧でガス漏れ等の異常時は異なる規定電圧信号を発生させる第二の警報機が接続されたか否かを判定し、前記第二の警報機の接続検出時に、前記接続部に警報機が接続されている場合はガスを流さないように作動する誤接続安全部とを有するものである。
【０００９】
そして、誤接続安全部は第二の警報機が接続されたと検出した時に、接続部に警報機が接続されているかを確認し、接続されていると判定した場合にガスを遮断するので、警報機が接続されていない時に各種のノイズが印可され装置内のトランジスタ等が誤動作し、第ニの警報機が接続されたと誤判定した時でもガスを遮断してしまうような事をなくすることができる。
【００１０】
また、第二の警報機の接続検出時に、接続部に警報機が接続されていない場合はその情報を発信する誤接続安全部とを有するものである。
【００１１】
そして、誤接続安全部は、第二の警報機が接続されたと検出した時に、接続部に警報機が接続されているかを確認し、接続されていないと判定した場合にその情報を次段に出力するので、装置がノイズの影響を受ける環境にあることを第三者に通知することができる。
【００１２】
また、第二の警報機の接続検出時に、接続部に警報機が接続されていない場合、その事を記憶する誤接続安全部とを有するものである。
【００１３】
そして、誤接続安全部は、第二の警報機が接続されたと検出した時に、接続部に警報機が接続されているかを確認し、接続されていないと判定した場合にそのことを記憶するので、装置がノイズの影響を受ける環境にあることを記憶内容を読み取る手段を有する第三者にのみ通知することができる。
【００１４】
また、第二の警報機の接続検出時に、接続部に警報機が接続されていない場合その事を記憶し、その回数があらかじめ設定した回数を超えた場合に応答する誤接続安全部とを有するものである。
【００１５】
そして、誤接続安全部は、第二の警報機が接続されたと検出した時に、接続部に警報機が接続されているかを確認し、接続されていないと判定した場合にそのことを記憶し、その回数があらかじめ設定した回数を超えた時にその情報を次段に出力するので、装置がノイズの影響を受ける環境にある事をより確実に検出し第三者に通報する事ができる。
【００１６】
また、第二の警報機の接続検出時に、接続部に警報機が接続されていない場合、その事を記憶し、その後警報機の接続を認識した際に前述の記憶を基にその情報を警報機に応答する誤接続安全部とを有するものである。
【００１７】
そして、誤接続安全部は、第二の警報機が接続されたと検出した時に、接続部に警報機が接続されているかを確認して接続されていないと判定した場合にそのことを記憶し、その後に警報機の接続が認識された時に前述の記憶を警報機にフィードバックするので、装置がノイズの影響を受ける環境にあることを警報機を接続した第三者に通知することができる。
【００１８】
【実施例】
以下、本発明の実施例について図面を用いて説明する。
【００１９】
（実施例１）
図１は本発明の実施例１のガス保安装置の機能ブロックおよび回路図である。図において、４は無電圧式の第一のガス漏れ警報機、５はガス安全制御回路本体、６はガス遮断弁、７はガス器具、８はガスセンサー、９はＬＣＤ、１０は接続装置、１１はスピーカを示す。また、第一のガス漏れ警報機４はガス漏れ検出後出力するＨＣ１とガス安全制御回路本体５から信号を受けるＨＣ２と警告音を発するスピーカ１１、これらを制御するマイクロコンピュータ部（以下マイコンと呼ぶ）等から成る。ガス安全制御回路本体５内はａのガス漏れ検出部と、ｂの誤接続検出部と、警報機アンサー用のトランジスタＱ５と、ｄのマイコン部と、ｅのガス遮断弁駆動部（ｄのマイコン部に含む）から成る。さらにマイコン部ｄは１２の誤接続安全部を内蔵しており、誤接続安全部１２は１２ａの有電圧警報機判定部と１２ｂの警報機接続判定部とから成る。尚、有電圧式の第二のガス漏れ警報機は図示していないが通常は出力が６Ｖ、ガス漏れ等の異常時には１２Ｖを出力する。
【００２０】
次に動作、作用について説明すると、ガス器具７の配管部にガス漏れが発生すると、ガスセンサー８が検出し、ＨＣ１がオン（ショート状態）となる。するとガス安全制御回路本体５のガス漏れ検出部ａが作動しマイコン部ｄよりガス遮断駆動弁ｅを作動させてガス器具７の配管部からのガス漏れ発生を防ぐ。なお、ガス漏れ検出部ａのトランジスタＱ１は節電と他の機能との干渉を防ぐように（Ｑ１とＱ３は同時にオンしない）断続的にオン（１秒毎）する。すなわちトランジスタＱ１がオンしている時ＨＣ１がオンするとトランジスタＱ２がオンし、マイコンｄの３番ピンがローとなり９番ピンへ出力してガス遮断弁駆動部ｅをとじる。
【００２１】
また、ＬＣＤ９へも出力してガス漏れを表示する。また、ガス安全制御回路本体５はこのガス漏れ情報をガス漏れ警報機４へ応答する。これは、トランジスタＱ３がオンしている時に、警報機アンサー用のトランジスタＱ５をオンしてガス漏れ警報機４のＨＣ２をオンすることで行われる。
【００２２】
また、実際にガス漏れ警報機４が接続されているかの判定は次のようにして行われる。ガス漏れ警報機４が接続されている場合は、誤接続検知部ｂのトランジスタＱ３がオンした時にＨＣ２のフォトダイオードを通して流れる電流により、トランジスタＱ４がオンしてマイコンｄの６番ピンがローとなる。マイコンｄの誤接続安全部１２内にある警報機接続判定部１２ｂがそれを検知した際に、ガス漏れ警報機４が接続されていると認識する。この安全回路は電気的ショート状態をガス漏れと認識する無電圧警報機に対応するものであるが、誤って有電圧警報機が接続された場合も安全であるように構成されている。有電圧警報機は常時６Ｖを出力し、ガス漏れ時には１２Ｖを出力するものである。この警報機が接続されると接続された時点で誤接続検知部ｂのトランジスタＱ４のベースに０．６Ｖ以上の電圧が印可されトランジスタＱ４は常時オンして、マイコンｄの６番ピンが常時ローとなる。
【００２３】
この状態を有電圧警報機判定部１２ａは、ガス漏れ検出部ａのトランジスタＱ１と誤接続検知部ｂのトランジスタＱ３が共にオフしている時にマイコンｄの６番ピンがロー信号であることで検知し、有電圧警報機が接続されていると判定（もし、無電圧式のガス漏れ警報機４が接続されていればトランジスタＱ１、Ｑ３がオフ中にトランジスタＱ４がオンする事は無く、マイコンｄの６番ピンのハイ信号）する。
【００２４】
そして、マイコンｄに前述のガス漏れ警報機４の接続判定を行う指示を出す。さらに、有電圧警報機判定部１２ａは（接続判定に要する）一定時間の後、警報機接続判定部１２ｂに信号を送りガス漏れ警報機４の接続を確認する。有電圧警報機が接続された場合はガス漏れ警報機４の接続が確認される為、ガス遮断駆動弁ｅを作動させてガス遮断弁６を閉じる。この状態ではガスを流さないのでガスを使用できず、接続した人は誤接続であることがわかり、正規の種類の警報機が接続される。次にガス漏れ警報機４が接続されていない時に、ガス安全制御回路本体５に無線機や電波塔等から発生する各種ノイズが印可された場合について説明する。ノイズはガス安全制御回路本体５内の各部分に影響を与えるが、トランジスタＱ４にも影響を与える場合が考えられ、通常時はオフであるにも関わらず誤動作してオンになることがあり、マイコンｄの６番ピンをロー信号にしてしまう。この状態を有電圧警報機接続判定部１２ａは検出し、上記と同様にガス漏れ警報機４の接続を確認を行うが、この場合はガス漏れ警報機４の接続が確認されず、ガス遮断駆動弁ｅを作動させてガス遮断弁６を閉じることは無い。
【００２５】
【発明の効果】
以上説明したように本発明によれば、警報機が接続されていない時に各種のノイズが印可されガス安全制御回路内のトランジスタ等が誤動作し、マイコンに異常信号を印可した時でも、有電圧警報機が接続されたと誤判定してガスを遮断してしまうような事をなくすることができる。このことにより、ノイズの発生が考えられるような環境に有っても警報機の未接続時には誤動作することの無いガス安全制御装置を供給できる。
【図面の簡単な説明】
【図１】本発明の実施例１のガス安全制御装置のブロック回路図
【図２】従来のガス安全制御装置のブロック回路図
【符号の説明】
４　第一のガス漏れ警報機
５　ガス安全制御回路本体
６　ガス遮断弁
１０　接続装置
１２　誤接続安全部
１２ａ　有電圧警報機判定部
１２ｂ　警報機接続判定部
ａ　ガス漏れ検出部
ｂ　誤接続検出部
【図１】
2004101041.tif 000003
【図２】
2004101041.tif 000004